【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】
検出素子アレイと、
対象物面からの光放射を前記検出素子アレイへと向けるように配列された対物レンズであって、カメラの光学軸を画定し、前記対象物面は前記光学軸に対して斜角に位置する、対物レンズと、
前記検出素子アレイ及び前記対物レンズを前記光学軸に沿って相対的に近づくように又は互いに離れるように、そしてまた互いに対して少なくとも１つの自由度で傾きを持つようにも動かせるように、前記対物レンズに対する前記検出素子アレイの相対的位置関係を変えるための移動装置と、
前記検出素子アレイ上に投影される像の一部が合焦している場合にそれを検出するための、前記検出素子アレイに接続された焦点検出装置とを含む電子カメラであって、
検出された合焦状態に基づいて前記移動装置を制御する処理装置を含み、
前記処理装置は、まず前記対物レンズ及び前記検出素子アレイの相対的位置関係を前記像の第一の部分が合焦するまで変化させて行き、その後前記第一の部分の合焦状態を保持しつつ、前記対物レンズ及び前記検出素子アレイの相対的位置関係を前記像の第二の部分が合焦するまで引き続き変化させて行くことにより、前記像の焦点を前記検出素子アレイ上に合わせることを特徴とする電子カメラ。
【請求項２】
前記処理装置は、まず前記像の第一の部分が合焦するまで前記対物レンズ及び前記検出素子アレイを前記光学軸に沿って相対的に近づけるように、又は互いから遠ざけるように動かして行き、その後前記第一の部分の合焦状態を保持しつつ、第二の部分もまた合焦するまで前記対物レンズ及び前記検出素子アレイを互いに対して傾きをつけて行くことにより、前記像の焦点を合わせることを特徴とする請求項１に記載の電子カメラ。
【請求項３】
前記電子カメラは本体をさらに有し、
前記対物レンズは前記本体に対して前記光学軸に沿って移動可能に構成され、
前記検出素子アレイは前記本体に対して移動可能で、それによって前記対物レンズに対して少なくとも傾きをつけることが可能に構成される
ことを特徴とする請求項１に記載の電子カメラ。
【請求項４】
前記電子カメラは本体をさらに有し、
前記対物レンズは前記本体に対して固定されており、
前記検出素子アレイは、前記本体に対して前記光学軸に沿って移動可能であるとともに前記対物レンズに対して傾きをつけることが可能に構成される
ことを特徴とする請求項１に記載の電子カメラ。
【請求項５】
前記対物レンズと前記検出素子アレイとの間に配置され、前記対物レンズの結像面からの光放射を前記検出素子アレイ上へと向けるように構成された第二のレンズであって、前記対物レンズの前記光学軸と交差する、カメラ内部光学軸を画定する第二のレンズと、
前記カメラ内部光学軸及び前記対物レンズの前記光学軸の相対的向きを変えるための回転装置とを含み、
前記処理装置が、前記第二のレンズの結像面における検出素子キーストーン歪みを改善するために前記回転装置を制御するように構成されることを特徴とする請求項１に記載の電子カメラ。
【請求項６】
前記対物レンズ及び前記第二のレンズそれぞれの焦点距離を表すデータと、前記レンズそれぞれの光学軸が直線上に一致している場合における前記対物レンズ及び前記第二のレンズの隔離距離を表わすデータとを保持するメモリ装置と、
像の一部が合焦している場合における前記検出素子アレイ及び前記第二のレンズの相対位置関係を判定し、前記相対位置関係を表わすデータを生成するための位置関係検出装置とを含み、
前記処理装置は、前記焦点距離、前記隔離距離及び前記相対位置関係のデータから、対象物面の焦点を前記検出素子アレイ上に合わせるとともにキーストーン歪みを改善することが可能な、前記対物レンズ、前記第二のレンズ及び前記検出素子アレイの相対位置関係を計算するように構成されることを特徴とする請求項５に記載の電子カメラ。
【請求項７】
電子カメラと、
前記電子カメラを机の端部の上方に取り付けて前記机の上にあるドキュメントを撮像するために前記電子カメラを前記机の上に向かって俯瞰させることが可能な取付台とを有する卓上撮影装置であって、前記電子カメラが、
検出素子アレイと、
対象物面からの光放射を前記検出素子アレイへと向けるように配列された対物レンズであって、前記電子カメラの光学軸を画定し、前記対象物面は前記光学軸に対して斜角にある、対物レンズと、
前記検出素子アレイ及び前記対物レンズを前記光学軸に沿って相対的に近づくように又は互いに離れるように、そしてまた互いに対して少なくとも１つの自由度で傾きを持つようにも動かせるように、前記対物レンズに対する前記検出素子アレイの相対的位置関係を変えるための移動装置と、
前記検出素子アレイ上に投影される像の一部が合焦している場合にそれを検出するための、前記検出素子アレイに接続された焦点検出装置と
前記焦点検出装置で検出された合焦状態に基づいて前記移動装置を制御する処理装置であって、前記対物レンズ及び前記検出素子アレイの相対的位置関係を前記像の第一の部分が合焦するまで変化させて行き、その後前記第一の部分の合焦状態を保持しつつ、前記対物レンズ及び前記検出素子アレイの相対的位置関係を前記像の第二の部分が合焦するまで引き続き変化させて行くことにより、前記像の焦点を前記検出素子アレイ上に合わせるように構成される、処理装置と
を有することを特徴とする、卓上撮影装置。
【請求項８】
前記電子カメラにおいて、前記処理装置が、まず前記像の第一の部分が合焦するまで前記対物レンズ及び前記検出素子アレイを前記光学軸に沿って相対的に近づけるように、又は互いから遠ざけるように動かして行き、その後前記第一の部分の合焦状態を保持しつつ、第二の部分も合焦するまで前記対物レンズ及び前記検出素子アレイを互いに対して傾きをつけて行くことにより、前記像の焦点を合わせるように構成されることを特徴とする請求項７に記載の卓上撮影装置。
【請求項９】
前記電子カメラが、
前記対物レンズと前記検出素子アレイとの間に配置され、前記対物レンズの結像面からの光放射を前記検出素子アレイ上へと向けるように構成された第二のレンズであって、前記対物レンズの前記光学軸と交差する、カメラの内部光学軸を画定する第二のレンズと、
前記内部光学軸及び前記対物レンズの前記光学軸の相対的向きを変えるための回転装置とを含み、
前記処理装置が、前記第二のレンズの結像面における検出素子キーストーン歪みを改善するために前記回転装置を制御するように構成される
ことを特徴とする請求項７に記載の卓上撮影装置。
【請求項１０】
前記電子カメラが、前記対物レンズ及び前記第二のレンズそれぞれの焦点距離を表すデータと、前記レンズそれぞれの光学軸が直線上に一致している場合における前記対物レンズ及び前記第二のレンズの隔離距離を表わすデータとを保持するメモリ装置と、
像の一部が合焦している場合における前記検出素子アレイ及び前記第二のレンズの相対位置関係を判定し、前記相対位置関係を表わすデータを生成するための位置関係検出装置とを含み、
前記処理装置が、前記焦点距離、前記隔離距離及び前記相対位置関係のデータから、対象物面の焦点を前記検出素子アレイ上に合わせるとともにキーストーン歪みを改善することが可能な、前記対物レンズ、前記第二のレンズ及び前記検出素子アレイの相対位置関係を計算するように構成される
ことを特徴とする請求項９に記載の卓上撮影装置。